(57)【要約】【課題】電子機器３０１の傾き、或いはアプリケーションの違いにより、照度センサの検知する明るさに対する表示部１０３の輝度設定や映像信号の補正状態を変更することによって、電子機器３０１の傾き、或いはアプリケーションの違いによらず、最適な表示部１０３の表示品位を維持することが出来る電子機器３０１を提供することを目的とする。【解決手段】傾き検知部１０８において、電子機器３０１の傾きを検知し、検知した傾きに応じて複数用意した輝度テーブルの内の一つを選択し、明るさ検知部１０２に検出した明るさに対する輝度設定値を選択した輝度テーブルを参照し、表示輝度調整部１０４によって表示部１０３の輝度を調整するようにした。【選択図】図１
2013205434.tif 000002
【特許請求の範囲】
【請求項１】
表示部と、
明るさ検知部と、
傾き検知部と、
輝度調整値に応じて表示部の輝度を変更できる表示輝度調整部と、を備えている電子機器において、
検知した明るさに対する輝度調整値テーブルを複数持ち、傾き検知部で検知した電子機器の傾きに応じて輝度調整値テーブルを変更する、
電子機器。
【請求項２】
表示部と、
明るさ検知部と、
輝度調整値に応じて表示部の輝度を変更できる表示輝度調整部と、を備えている電子機器において、
検知した明るさに対する輝度調整値テーブルを複数持ち、アプリケーションに応じて輝度調整値テーブルを変更する、
電子機器。
【請求項３】
表示部と、
明るさ検知部と、
撮像部と、
輝度調整値に応じて表示部の輝度を変更できる表示輝度調整部と、を備えている電子機器において、
検知した明るさに対する輝度調整値テーブルを複数持ち、撮像部を使用しているか、使用していないかによって輝度調整値テーブルを変更する、
電子機器。
【請求項４】
表示部と、
明るさ検知部と、
時刻検出部と、
輝度調整値に応じて表示部の輝度を変更できる表示輝度調整部と、を備えている電子機器において、
検知した明るさに対する輝度調整値テーブルを複数持ち、時刻検出部で検知した時刻情報に応じて輝度調整値テーブルを変更する、
電子機器。
【請求項５】
表示部と、
明るさ検知部と、
位置検出部と、
輝度調整値に応じて表示部の輝度を変更できる表示輝度調整部と、を備えている電子機器において、
検知した明るさに対する輝度調整値テーブルを複数持ち、位置検出部で検知した位置情報に応じて輝度調整値テーブルを変更する、
電子機器。
【発明の詳細な説明】
【技術分野】
【０００１】
本発明は、表示装置を有する電子機器に関するものである。
【背景技術】
【０００２】
従来、この種の電子機器としては、例えば、特許文献１に記載されているようなものがあった。照度センサにより検出された明るさに応じて、映像信号を補正するように制御するというものである。また、照度センサ等環境の明るさを検知するデバイスを用いて、環境の明るさに応じて表示装置の輝度を調整する機能が携帯電話等に用いられている。明るさ検知用の照度センサは、通常表示部の表示面と同じ方向の光を検知するように実装されている。
【先行技術文献】
【特許文献】
【０００３】
【特許文献１】特開2006-267140号公報
【発明の概要】
【発明が解決しようとする課題】
【０００４】
しかしながら、前記従来の構成では、図１１に示すように、電子機器３０１の表示部１０３の表示面に対して環境光５０１が正対している時、すなわち明るさ検知部１０２に対して鉛直方向から環境光５０１が入ってくる時の明るさに対して表示部１０３の輝度設定や映像信号の補正状態が最適になるように調整されている時、図１３に示すように、電子機器３０１の表示部１０３の表示面に対して環境光５０１が斜め方向から入る時、すなわち明るさ検知部１０２に対して斜め方向から環境光５０１が入ってくる時は、明るさ検知部１０２が検知する明るさレベルは低くなり、表示部１０３の輝度設定や映像信号の補正状態は最適な状態よりも暗めに設定されてしまっていた。
【０００５】
本発明は、上記課題を解決するために、電子機器の傾き、或いはアプリケーションの違いにより、明るさ検知部１０２の検知する明るさに対する表示部１０３の輝度設定や映像信号の補正状態を変更する。その結果、電子機器３０１の傾き、或いはアプリケーションの違いによらず、最適な表示部１０３の表示品位を維持することが出来る電子機器３０１を提供することができる。
【課題を解決するための手段】
【０００６】
前記従来の課題を解決するため、本発明の電子機器３０１は、電子機器３０１の傾き、或いはアプリケーションの違いにより、明るさ検知部１０２の検知する明るさに対する表示部１０３の輝度設定や映像信号の補正状態を変更する。この明るさ検知部１０２の検知する明るさに対する表示部１０３の輝度設定や映像信号の補正状態を変更することによって、電子機器３０１の傾き、或いはアプリケーションの違いによらず、最適な表示品位を維持することができる。
【発明の効果】
【０００７】
以上のように、本発明の電気機器３０１によれば、電子機器３０１の傾き、或いはアプリケーションの違いによらず、表示部１０３の輝度設定や映像信号の補正状態を最適にすることによって、最適な表示品位を維持することができる。
【図面の簡単な説明】
【０００８】
【図１】本発明の実施の形態１における電子機器のブロック図
【図２】本発明の実施の形態２における電子機器のブロック図
【図３】本発明の実施の形態３における電子機器のブロック図
【図４】本発明の実施の形態４における電子機器のブロック図
【図５】本発明の実施の形態５における電子機器のブロック図
【図６】本発明の実施の形態１〜３におけるメモリに格納している輝度テーブル（１）、（２）の例を示す図
【図７】本発明の実施の形態１〜３におけるメモリに格納している輝度テーブル（１）、（２）の例を示す図
【図８】本発明の実施の形態４における時刻テーブルの例を示す図
【図９】本発明の実施の形態４、５におけるメモリに格納している輝度テーブル（１）、（２）の例を示す図
【図１０】本発明の実施の形態５における位置テーブルの例を示す図
【図１１】本発明の実施の形態１における電子機器の使用状態を示す概念図
【図１２】本発明の実施の形態１における電子機器の使用状態を示す概念図
【図１３】従来の電子機器の使用状態を示す概念図
【発明を実施するための形態】
【０００９】
以下に、本発明の実施の形態について、図面を参照しながら説明する。
【００１０】
（実施の形態１）
まず、本発明の実施の形態１における電子機器３０１の構成を図１を使用して説明する。図１は本発明の実施の形態１における電子装置のブロック図である。電子機器は、制御部１０１と、明るさ検知部１０２と、表示部１０３と、表示輝度調整部１０４と、メモリ１０５と、傾き検知部１０８とから構成されている。次に、本発明の実施の形態１における電子機器３０１の動作を図１を使用して説明する。傾き検知部１０８において、電子機器３０１の傾きを検知し、検知した傾きが傾き範囲（１）１１４の時は、明るさ検知部１０２において検知した環境光５０１の明るさに応じて、輝度テーブル（１）１０６を使用して輝度を決定し、表示輝度調整部１０４によって表示部１０３における表示の輝度を設定する。また、検知した傾きが傾き範囲（２）１１５の時は、明るさ検知部１０２において検知した環境光５０１の明るさに応じて、輝度テーブル（２）１０７を使用して輝度を決定し、表示輝度調整部１０４によって表示部１０３における表示の輝度を設定する。例えば、輝度テーブル（１）１０６、輝度テーブル（２）１０７が図６で示したもので、環境光５０１の明るさが５００ｌｕｘの時、電子機器３０１と環境光５０１の関係が図７のような時で、図７の電子機器３０１の傾きが傾き範囲（１）１１４の時、明るさ検知部１０２において５００ｌｕｘと検知でき、傾き範囲（１）１１４に対する輝度テーブル（１）１０６から、輝度調整値は１５０ｃｄ／ｍ２となる。電子機器３０１と環境光５０１の関係が図８のような時で、図８の電子機器３０１の傾きが傾き範囲（２）１１５の時、明るさ検知部１０２において５００ｌｕｘとは検知できず、例えば２００ｌｕｘと低めに検知されてしまうが、傾き範囲（２）１１５に対する輝度テーブル（２）１０７から、輝度調整値は図７の状態の時と同じ１５０ｃｄ／ｍ２となる。このように本発明の実施の形態１の電子機器３０１であれば、環境光５０１に対する電子機器３０１の傾きによらず、表示部１０３の輝度設定を最適にし、最適な表示品位を確保することができる。ここで、輝度テーブル（１）１０６、輝度テーブル（２）１０７を図７のように、輝度調整値に対して検知した明るさ範囲を変更することでも同様の効果が期待できる。また、傾きの範囲や輝度テーブルは、３つ以上用意することで、より最適な表示部１０３の輝度設定にすることが期待できる。
【００１１】
（実施の形態２）
まず、本発明の実施の形態２における電子機器３０１の構成を、図２を使用して説明する。図２は本発明の実施の形態２における電子装置のブロック図である。電子機器は、制御部１０１と、明るさ検知部１０２と、表示部１０３と、表示輝度調整部１０４と、メモリ１０５とから構成されている。次に、本発明の実施の形態２における電子機器３０１の動作を図２で使用して説明する。アプリケーション（１）１１２を起動している時は、明るさ検知部１０２において検知した環境光５０１の明るさに応じて、輝度テーブル（１）１０６を使用して輝度を決定し、表示輝度調整部１０４によって表示部１０３における表示の輝度を設定する。また、アプリケーション（２）１１３を起動している時は、明るさ検知部１０２において検知した環境光５０１の明るさに応じて、輝度テーブル（２）１０７を使用して輝度を決定し、表示輝度調整部１０４によって表示部１０３における表示の輝度を設定する。例えば環境光５０１の明るさが５００ｌｕｘと明るさ検知部１０２が検知した時、アプリケーション（１）１１２を起動している時は輝度調整値が１５０cd/m2となり、アプリケーション（２）１１３を起動している時は輝度調整値が２００cd/m2となる。アプリケーション（１）１１２がそれほど明るさを必要とせず、長時間使用するようなもので、アプリケーション（２）１１３がある程度の明るさを必要とし、短時間使用するようなものの場合、表示部の輝度と消費する電力を最適に保つことができる。ここで、輝度テーブル（１）１０６、輝度テーブル（２）１０７を図６のように、輝度調整値に対して検知した明るさ範囲を変更することでも同様の効果が期待できる。また、複数のアプリケーションに対して、輝度テーブルを３つ以上用意することで、より最適な表示部１０３の輝度設定にすることが期待できる。
【００１２】
（実施の形態３）
まず、本発明の実施の形態３における電子機器３０１の構成を、図３を使用して説明する。図３は本発明の実施の形態３における電子装置のブロック図である。電子機器は、制御部１０１と、明るさ検知部１０２と、表示部１０３と、表示輝度調整部１０４と、メモリ１０５と、撮像部１０９とから構成されている。次に、本発明の実施の形態３における電子機器３０１の動作を図３で使用して説明する。撮像部１０９で撮像した画像を表示部１０３に表示しないは、明るさ検知部１０２において検知した環境光５０１の明るさに応じて、輝度テーブル（１）１０６を使用して輝度を決定し、表示輝度調整部１０４によって表示部１０３における輝度を設定する。また、撮像部１０９で撮像した画像を表示部１０３に表示する時は、明るさ検知部１０２において検知した環境光５０１の明るさに応じて、輝度テーブル（２）１０７を使用して輝度を決定し、表示輝度調整部１０４によって表示部１０３における輝度を設定する。例えば、輝度テーブル（１）１０６、輝度テーブル（２）１０７が図６で示したもので、環境光５０１が６００ｌｕｘの時、撮像部１０９で撮像した画像を表示部１０３に表示しない時は電子機器３０１と環境光５０１の関係が図７のようになることが多く、この時明るさ検知部１０２において６００ｌｕｘと検知でき、輝度テーブル（１）１０６から、輝度調整値は１５０ｃｄ／ｍ２となる。撮像部１０９で撮像した画像を表示部１０３に表示する時、すなわちカメラ機能を使用する時は、電子機器３０１と環境光５０１の関係が図８のようになることが多く、この時明るさ検知部１０２において６００ｌｕｘとは検知できず、例えば２５０ｌｕｘと低めに検知されてしまうが、輝度テーブル（２）１０７から、輝度調整値は図７の状態の時と同じ１５０ｃｄ／ｍ２となる。このように本発明の実施の形態３の電子機器３０１であれば、カメラ機能を使用する時でも表示部１０３の輝度設定を最適にし、最適な表示品位を確保することができる。ここで、輝度テーブル（１）１０６、輝度テーブル（２）１０７を図７のように、輝度調整値に対して検知した明るさ範囲を変更することでも同様の効果が期待できる。また、輝度テーブルは、３つ以上用意することで、より最適な表示部１０３の輝度設定にすることが期待できる。
【００１３】
（実施の形態４）
まず、本発明の実施の形態４における電子機器３０１の構成を、図４を使用して説明する。図４は本発明の実施の形態４における電子装置のブロック図である。電子機器は、制御部１０１と、明るさ検知部１０２と、表示部１０３と、表示輝度調整部１０４と、メモリ１０５と、時刻検出部１１０とから構成されている。次に、本発明の実施の形態４における電子機器３０１の動作を図４で使用して説明する。時刻検出部１１０において時刻を検出し、図８の時刻テーブルに従って、検出した時刻に対する輝度テーブルが輝度テーブル（１）１０６か輝度テーブル（２）１０７かを選択し、この時点で明るさ検知部１０２で検知した明るさに応じて輝度設定値を決定し、表示輝度調整部１０４により表示部１０３の輝度を設定する。例えば、輝度テーブル（１）１０６、輝度テーブル（２）１０７が図９で示したもので、環境光５０１が２００ｌｕｘであると検出され、且つ時刻が２０時である時、図８の時刻テーブルから輝度テーブル（１）１０６を選択し、輝度調整値は１００ｃｄ／ｍ２となる。環境光５０１が１０００ｌｕｘであると検出され、且つ時刻が１３時である時は、図８の時刻テーブルから輝度テーブル（２）１０７を選択し、輝度調整値は２５０ｃｄ／ｍ２となる。ここで、一般的に検知される環境光５０１の明るさは、昼間であれば１００００ｌｕｘ以上になることもあるが、夜間の場合は、２０００ｌｕｘ以下であることが多い。その為、例えば輝度テーブルにおける明るさの範囲設定を昼間用として図９の輝度テーブル（２）１０７、夜間用として図９の輝度テーブル（１）１０６とすることで、昼間は環境光５０１の明るさで表示部１０３が見えにくくならない輝度設定、夜間は環境光５０１の低い範囲で、より最適な輝度設定にすることができる。
このように本発明の実施の形態４の電子機器３０１であれば、時刻情報を参照することによって、表示部１０３の輝度設定を最適にし、最適な表示品位を確保することができる。ここで、昼間用と夜間用の輝度テーブルを持つことを例に説明したが、輝度テーブルを３つ以上用意することで、より最適な表示部１０３の輝度設定にすることが期待できる。
【００１４】
（実施の形態５）
まず、本発明の実施の形態５における電子機器３０１の構成を、図５を使用して説明する。図５は本発明の実施の形態５における電子装置のブロック図である。電子機器は、制御部１０１と、明るさ検知部１０２と、表示部１０３と、表示輝度調整部１０４と、メモリ１０５と、位置検出部１１１とから構成されている。次に、本発明の実施の形態５における電子機器３０１の動作を図５で使用して説明する。位置検出部１１１において端末の存在する場所に関する情報を取得し、図１０の位置テーブルに従って、検出した位置に対する輝度テーブルが輝度テーブル（１）１０６か輝度テーブル（２）１０７かを選択し、この時点で、明るさ検知部１０２で検知した明るさに応じて輝度設定値を決定し、表示輝度調整部１０４により表示部１０３の輝度を設定する。例えば、輝度テーブル（１）１０６、輝度テーブル（２）１０７が図９で示したもので、環境光５０１が１５０ｌｕｘであると検出し、且つ位置情報が自宅を示した時は、図１０の位置テーブルから輝度テーブル（１）１０６を選択し、輝度調整値は１００ｃｄ／ｍ２となる。環境光が１０００ｌｕｘであると検出し、位置情報がＡＢＣ公園を示した時は、図１０の位置テーブルから輝度テーブル（２）１０７を選択し、輝度調整値は２５０ｃｄ／ｍ２となる。ここで、一般的に検知される環境光５０１の明るさは、屋外であれば１００００ｌｕｘ以上になることもあるが、屋内の場合は、２０００ｌｕｘ以下であることが多い。その為、例えば輝度テーブルにおける明るさの範囲設定を屋外用として図９の輝度テーブル（２）１０７、屋内用として、図９の輝度テーブル（１）１０６とすることで、屋外では環境光５０１の明るさで表示部１０３が見えにくくならない輝度設定、屋内では環境光５０１の低い範囲でより最適な輝度設定にすることができる。このように本発明の実施の形態５の電子機器３０１であれば、位置情報を参照することによって、表示部１０３の輝度設定を最適にし、最適な表示品位を確保することができる。ここで、屋外用と屋内用の輝度テーブルを持つことを例に説明したが、輝度テーブルを３つ以上用意することで、より最適な表示部１０３の輝度設定にすることが期待できる。また、実施の形態１〜５において、明るさに応じて、表示輝度を制御することを説明したが、明るさに応じて、映像信号を補正するように制御をすることで同様の効果が期待できる。なお、実施の形態１〜５の内容を組み合わせることで、更なる効果が期待できる。
【産業上の利用可能性】
【００１５】
本発明にかかる電子機器３０１は、明るさに応じて、表示輝度を制御や映像信号を補正をすることで最適な表示品位を確保することができ、表示部１０３を備えた電子機器３０１等に有用である。
【符号の説明】
【００１６】
１０１  制御部
１０２  明るさ検知部
１０３  表示部
１０４  表示輝度調整部
１０５  メモリ
１０６  輝度テーブル（１）
１０７  輝度テーブル（２）
１０８  傾き検知部
１０９  撮像部
１１０  時刻検出部
１１１  位置検出部
１１２  アプリケーション（１）
１１３  アプリケーション（２）
１１４  傾き範囲（１）
１１５  傾き範囲（２）
１１６  時刻テーブル
１１７  位置テーブル
３０１  電子機器
５０１  環境光
【図１】
2013205434.tif 000003
【図２】
2013205434.tif 000004
【図３】
2013205434.tif 000005
【図４】
2013205434.tif 000006
【図５】
2013205434.tif 000007
【図６】
2013205434.tif 000008
【図７】
2013205434.tif 000009
【図８】
2013205434.tif 000010
【図９】
2013205434.tif 000011
【図１０】
2013205434.tif 000012
【図１１】
2013205434.tif 000013
【図１２】
2013205434.tif 000014
【図１３】
2013205434.tif 000015